(57)【特許請求の範囲】
【請求項１】
アルカノールアミンと、水酸化ナトリウム、水酸化カリウム、炭酸ナトリウム、炭酸カリウム、メタ珪酸ナトリウム、オルソ珪酸ナトリウムより選ばれたアルカリ化合物と、水溶性高分子キレート形成剤及び水とを含む液状の食器洗浄器用洗剤であって、アルカノールアミンを１５〜３５重量％、アルカリ化合物を１〜１０重量％、水溶性高分子キレート形成剤を０．５〜５重量％含有することを特徴とする食器洗浄機用洗剤。
【発明の詳細な説明】
【０００１】
【発明の属する技術分野】
本発明は食器洗浄機用洗剤に関する。
【０００２】
【従来の技術及び発明が解決しようとする課題】
近年、一般家庭にも自動食器洗浄機が普及しつつある。自動食器洗浄機用に用いられる洗剤は、食器の油汚れを効果的に除去できるようにするために強アルカリが配合されており、一般に強アルカリとしては水酸化ナトリウムや水酸化カリウムが用いられている。しかしながら、洗剤中の水酸化ナトリウムまたは水酸化カリウムのいずれかの配合割合が５重量％を超えると、医薬用外劇物に該当する製品となり、取扱いが煩雑となるという問題が生じる。
【０００３】
このため、アルカリとして機能する珪酸塩を水酸化ナトリウムや水酸化カリウムと併用することにより、水酸化ナトリウムや水酸化カリウムの配合割合を多くすることなく強アルカリ性を維持する等の工夫がなされており、例えば特開平４−１５３００号公報には、５．０重量％未満の水酸化ナトリウムまたは水酸化カリウムと、７〜１１重量％の珪酸塩（ＳｉＯ2として）と、１〜５重量％のポリアクリル酸塩と、１〜１０重量％のアミノポリカルボン酸塩と、残りが水とからなる液状の食器洗浄機用洗剤が提案されている。
【０００４】
しかしながら、珪酸塩等の無機物を多量に含有する場合、食器や食器洗浄機内に珪酸塩等の無機物が付着残留し易くなるという問題がある。更に食器や食器洗浄機内に珪酸塩等が付着残留すると、これに汚れが付着し易くなり、その結果、食器や食器洗浄機内の汚れが目立って外観低下をきたすととともに、かび等が発生しやすくなるという問題があった。このため、珪酸塩等の無機物添加によってアルカリ性を高める方法では、上記特開平４−１５３００号公報に記載されているように珪酸塩（ＳｉＯ2として）の添加量はせいぜい１１重量％程度が限界であり、更に高い洗浄効果を望むことは困難であった。
【０００５】
本発明は上記の点に鑑みなされたもので、無機物添加によりアルカリ性を高めて洗浄力向上を図っていた従来の食器洗浄機用洗剤の欠点を解決し、更に優れた洗浄力を有すると共に、洗浄機内に無機物が付着残留する等の虞れのない食器洗浄機用洗剤を提供することを目的とする。
【０００６】
【課題を解決するための手段】
即ち本発明の食器洗浄機用洗剤は、アルカノールアミンと、水酸化ナトリウム、水酸化カリウム、炭酸ナトリウム、炭酸カリウム、メタ珪酸ナトリウム、オルソ珪酸ナトリウムより選ばれたアルカリ化合物と、水溶性高分子キレート形成剤及び水とを含む液状の食器洗浄器用洗剤であって、アルカノールアミンを１５〜３５重量％、アルカリ化合物を１〜１０重量％、水溶性高分子キレート形成剤を０．５〜５重量％含有することを特徴とする。
【０００７】
【発明の実施の形態】
本発明において用いるアルカノールアミンとしては、通常、炭素数２〜４のアルカノールアミンが用いられる。炭素数２〜４のアルカノールアミンとしては、例えばモノエタノールアミン、ジエタノールアミン、トリエタノールアミン、モノプロパノールアミン、ジプロパノールアミン、トリプロパノールアミン、モノブタノールアミン、ジブタノールアミン、トリブタノールアミン等が挙げられ、これらは２種以上を混合して用いることができる。これらのアルカノールアミンのうち、炭素数２〜３のアルカノールアミンが好ましく、特にモノエタノールアミン、ジエタノールアミンが好ましい。
【０００８】
本発明の洗剤中におけるアルカノールアミンの割合は、１５〜３５重量％であるが、２０〜３０重量％がより好ましい。アルカノールアミンの割合が１５重量％未満であると洗浄能力が不足し、３５重量％を超えると製品安定性が不良となる。
【０００９】
アルカリ化合物としては、水酸化ナトリウム、水酸化カリウム、炭酸ナトリウム、炭酸カリウム、メタ珪酸ナトリウム、オルソ珪酸ナトリウム等が挙げられ、これらは２種以上を混合して用いることができる。本発明の洗剤中におけるアルカリ化合物の割合は１〜１０重量％であるが、より好ましくは５〜９重量％である。アルカリ化合物が１重量％未満では洗浄性能が不足するため、洗剤の消費量が多くなり好ましくない。また、１０重量％を超えると食器や食器洗浄機内に無機物が付着残留しやすくなる。尚、アルカリ化合物として水酸化ナトリウムまたは水酸化カリウムを用いる場合、これらの単独の配合割合が５重量％を超えると医薬用外劇物となり、取扱いに法的規制が加わることとなる。このためアルカリ化合物を５重量％以上含有させる場合には、水酸化ナトリウム、水酸化カリウム以外のアルカリ化合物を用いるか、水酸化ナトリウムや水酸化カリウムの単独の配合割合が５重量％を超えないように２種以上のアルカリ化合物を混合して用いることが好ましい。
【００１０】
水溶性高分子キレート形成剤としては、アクリル酸、メタクリル酸、α−ヒドロキシアクリル酸、マレイン酸等の不飽和カルボン酸の単独重合体や共重合体、或いはこれらの不飽和カルボン酸と、エチレン、プロピレン、イソブチレン等のエチレン系不飽和化合物、スチレンスルホン酸ナトリウム、ポリエチレンイミン等との共重合体の、ナトリウム塩、カリウム塩等が挙げられる。
【００１１】
上記水溶性高分子キレート形成剤は、２種以上を混合して用いることができる。上記水溶性高分子キレート形成剤のうち、比較的安価で入手しやすいアクリル酸やメタクリル酸の単独重合体、共重合体の塩が好ましい。また水溶性高分子キレート形成剤は、平均分子量１０００〜１００００のものが好ましい。
【００１２】
水溶性高分子キレート形成剤の本発明洗剤中における割合は、０．５〜５重量％であるが、より好ましくは２〜４重量％である。水溶性高分子キレート形成剤の割合が０．５重量％未満の場合、水中の金属イオン封鎖力が不足し食器や洗浄機内にスケールが付着する原因となり、５重量％を超えると製品が分離する等、安定性が不良となる。
【００１３】
本発明の食器洗浄機用洗剤は、水及び上記割合のアルカノールアミンと、水酸化ナトリウム、水酸化カリウム、炭酸ナトリウム、炭酸カリウム、メタ珪酸ナトリウム、オルソ珪酸ナトリウムより選ばれたアルカリ化合物と、水溶性高分子キレート形成剤とを含有するが、更に、従来の食器洗浄機用洗剤に用いられていると同様の、硫酸ナトリウム、塩化ナトリウム等の電解質、エチレンジアミン四酢酸塩（ＥＤＴＡ）、ニトリロ三酢酸塩等のアミノカルボン酸塩、界面活性剤、消泡剤等を含有していても良い。
【００１４】
【実施例】
以下、実施例を挙げて本発明を更に詳細に説明する。
実施例１
モノエタノールアミン３０ｇ、水酸化ナトリウム３ｇ、ポリアクリル酸ナトリウム塩（平均分子量４０００）３ｇ、水６４ｇを配合して食器洗浄機用洗剤を調製した。この洗剤の洗浄力を下記方法により試験した。また、無機物等の付着の有無を下記の方法で試験（白化試験）した。結果を表１に示す。
【００１５】
洗浄力試験
マヨネーズ１０ｇを塗布した直径１５ｃｍの陶器皿５枚を、自動食器洗浄機内で洗浄した。各洗剤は０．２％に希釈して食器洗浄機に供給した。洗浄後の皿の状態を下記基準により評価した。
○・・・マヨネーズが完全に除去されている。
△・・・目視では除去されているが、皿の表面に触ると油分の残留が認められる。
×・・・除去されていない。
【００１６】
白化試験
２００ｍｌのビーカーに０．２％に希釈した洗剤を１００ｍｌとり、この中に５ｃｍ×１０ｃｍに切ったステンレス板を入れ、８０℃で５時間保持した。５時間後にステンレス板を取り出し、ステンレス板の状態を下記基準により評価した。
○・・・僅かに白くなっているが、軽い水洗により除去できる。
△・・・白くなっているが、水洗により除去できる。
×・・・白くなっており、水洗しても除去できない。
【００１７】
【表１】
0004199364.tif 000002
【００１８】
実施例２
ジエタノールアミン１５ｇ、水酸化ナトリウム４．５ｇ、水酸化カリウム４．５ｇ、ポリメタクリル酸カリウム塩（平均分子量６０００）１ｇ、水７５ｇを配合して食器洗浄機用洗剤を調製した。この洗剤の洗浄力試験及び白化試験を、実施例１と同様の方法で行った結果を表１に示す。
【００１９】
実施例３
トリエタノールアミン３５ｇ、水酸化ナトリウム４ｇ、アクリル酸−マレイン酸共重合体ナトリウム塩（重量比でアクリル酸１：マレイン酸１の共重合体、平均分子量８０００）５ｇ、水５６ｇを配合して食器洗浄機用洗剤を調製した。この洗剤の洗浄力試験及び白化試験を、実施例１と同様の方法で行った結果を表１に示す。
【００２０】
実施例４
モノエタノールアミン１０ｇ、ジエタノールアミン２０ｇ、水酸化ナトリウム１ｇ、ポリアクリル酸ナトリウム塩（平均分子量１０００）５ｇ、水６４ｇを配合して食器洗浄機用洗剤を調製した。この洗剤の洗浄力試験及び白化試験を、実施例１と同様の方法で行った結果を表１に示す。
【００２１】
実施例５
モノエタノールアミン２５ｇ、水酸化カリウム３ｇ、ポリメタクリル酸ナトリウム塩（平均分子量１００００）１ｇ、水７１ｇを配合して食器洗浄機用洗剤を調製した。この洗剤の洗浄力試験及び白化試験を、実施例１と同様の方法で行った結果を表１に示す。
【００２２】
比較例１
珪酸ナトリウム２５ｇ、水酸化ナトリウム３ｇ、ポリアクリル酸ナトリウム塩（平均分子量１０００）２ｇ、水６９ｇを配合して食器洗浄機用洗剤を調製した。この洗剤の洗浄力試験及び白化試験を、実施例１と同様の方法で行った結果を表１に示す。
【００２３】
比較例２
モノエタノールアミン１０ｇ、水酸化ナトリウム２ｇ、ポリアクリル酸ナトリウム塩（平均分子量６０００）５ｇ、水８３ｇを配合して食器洗浄機用洗剤を調製した。この洗剤の洗浄力試験及び白化試験を、実施例１と同様の方法で行った結果を表１に示す。
【００２４】
【発明の効果】
以上説明したように本発明の食器洗浄機用洗剤は、アルカノールアミンと、水酸化ナトリウム、水酸化カリウム、炭酸ナトリウム、炭酸カリウム、メタ珪酸ナトリウム、オルソ珪酸ナトリウムより選ばれたアルカリ化合物と、水溶性高分子キレート形成剤の特定量を含有することにより、アルカリ化合物を高濃度で添加することなくアルカリ性を高めることができ、油性汚れに対する洗浄力を向上することができ、しかもアルカノールアミンの溶媒作用によって油性汚れの除去性が更に向上される。また珪酸塩等の無機物を添加してアルカリ性を高めた従来の洗剤のように、食器や食器洗浄機内に無機物が付着残留する等の虞れがなく、付着残留した無機物に更に汚れが付着してかび等を発生する虞れがない等の効果を有する。